(57)【要約】【課題】  本体表面に凹部のある機器を、緩衝材の使用を削減しつつ、簡便に包装する包装装置を提供する。【解決手段】  機器１の凹部に対向する位置に設けられた包装装置２の舌片部３ａ〜３ｄを係合して形成される枠状体４を機器１の凹部に嵌合させることによって機器１を包装装置内に支持する。機器１の凹部のある前面と、上面、下面の各々の面と対向する包装装置２の前面板、上面板、下面板との間に前面緩衝空間７、上面緩衝空間５、下面緩衝空間６を設ける。【選択図】  図１
2011057261.tif 000002
【特許請求の範囲】
【請求項１】
１枚の包装材を折り曲げることによって成形された角筒状箱体であって、本体表面に凹部のある機器を収納する包装装置において、
前記機器を覆う側面板に折り曲げ線を介して連接され、前記機器の凹部が形成された本体
表面を覆う第１の前面板と、
前記側面版と対向する側面板に折り曲げ線を介して連接され、前記第１の前面板の上から前記機器の凹部が形成された本体表面を覆う第２の前面板と、
前記第１の前面板に前記凹部と対向する位置に設けられる第１の一対の舌片部と、
前記第２の前面板に前記凹部と対向する位置に設けられ、該第１の舌片部と直交する方向に折り曲げられる第２の一対の舌片部とを備え、
前記第１及び第２の一対の舌片部は前記凹部内に向けて包装装置内側に折り曲げられ、第１の舌片部の表面に第２の舌片部の端縁部が係合することにより枠状体を形成する包装装置。
【請求項２】
前記第２の舌片部の折り込み線と平行方向の幅は、前記包装装置内側に折り曲げられた対向する前記第１の舌片部間の間隔寸法と同一または該間隔寸法よりも幅広にされている請求項１に記載の包装装置。
【請求項３】
前記機器本体表面の凹陥部が機器の両側面に達している場合において、前記機器と各々対向する前記包装装置の前面板、上面板、下面板との間に空間を設ける請求項１または請求項２に記載の包装装置。
【請求項４】
前記機器本体表面の凹陥部が機器の両側面に達してない場合において、前記機器と各々対向する前記包装装置の前面板、上面板、下面板、左側面板、右側面板との間に空間を設ける請求項１または請求項２に記載の包装装置。
【請求項５】
前記第１、第２の一対の舌片部のいずれか一方の端縁部に延出部を設け、
他方の一対の舌片部には枠状体形成時に前記延出部と嵌合する端縁部に切り欠け部または貫通穴を設ける請求項１乃至４のいずれかに記載の包装装置。
【発明の詳細な説明】
【技術分野】
【０００１】
この発明は本体表面に凹部のある物品の包装装置に関するものである。
【背景技術】
【０００２】
機器を梱包箱に収納して運搬、荷扱い、保管する場合には、機器の衝撃に弱い部分が外部から衝撃を受けて変形、損壊することがある。これを回避するため、そのような部分については、その部分の形状に沿った緩衝材を配置することで、機器を保護している。
【０００３】
例えば、本体表面に凹部のある機器の凹部隔壁は肉薄であるため、その部分は衝撃に弱く、外部からの衝撃によって変形、損壊することがある。このような形状を持つ機器の例として特許文献１の図１に表される手乾燥装置が挙げられる。この機器を運搬する場合は、機器と梱包箱の間に緩衝材を挟む等することによって凹部のある表面に直接外力が加わることを防止している。
【０００４】
緩衝材を使用して本体表面に凹凸を有する機器を梱包する方法は様々な方法が検討されている。例えば特許文献２では梱包箱の上側と下側に貫通穴を備えた内フラップを設け、凸部を設けた緩衝材を機器の上側と下側の夫々に配置し、その緩衝材の凸部を前述の内フラップの貫通穴に嵌合させて梱包箱内に機器を固定する方法が開示されている。
【先行技術文献】
【特許文献】
【０００５】
【特許文献１】特開２００６−１４２１０７号公報（１頁、第１図）
【特許文献２】特開２００５−２１２８１５号公報（１３頁、第５図）
【発明の概要】
【発明が解決しようとする課題】
【０００６】
上記の特許文献２に記載の発明では緩衝材を使用するために、緩衝材の成形に費やす時間とコストが増大すること、及び、包装作業が煩雑になる問題があった。
【０００７】
この発明は、上述の課題を解決するためになされたもので、包装装置の一部を凹部に挿入することにより、機器を包装装置内に支持しつつ、この部分によって包装装置と機器の間に設けられる緩衝空間が緩衝材の役割を果たして、凹部のある表面に直接外力が加わることを防止する包装装置を提供するものである。
【課題を解決するための手段】
【０００８】
本発明にかかる包装装置は、１枚の包装材を折り曲げることによって成形される角筒状箱体である。機器の凹部のある表面と対向する包装装置の前面板は第１、第２の前面板によって構成されており、第１の前面板は機器を覆う側面板に折り曲げ線を介して連接され、前記折り曲げ線を折り曲げることによって機器の凹部が形成された本体表面を覆う。前記第１の前面板には機器の凹部と対向する位置に第１の一対の舌片部が設けられており、第１の前面板が機器の本体表面を覆った後に、機器の凹部に向けて包装装置内側に折り曲げられる。次に、第２の前面板は前記側面板と対向する側面板に折り曲げ線を介して連接され、前記折り曲げ線を折り曲げることによって前記第１の前面板の上から前記機器の凹部が形成された本体表面を覆う。前記第２の前面板には機器の凹部と対向する位置に第２の一対の舌片部が設けられており、第２の前面板が機器の本体表面を覆った後に、機器の凹部に向けて、前記第１の舌片部を折り曲げる方向と直交する方向に包装装置内側方向に折り曲げられる。前記凹部内に向けて内側に折り曲げられた前記第１及び第２の一対の舌片部は、第１の舌片部の表面に第２の舌片部の端縁部が係合することにより枠状体を形成する。
【発明の効果】
【０００９】
本発明の包装装置によれば緩衝材等を使用する場合と比較して簡便に機器を包装装置内に固定することができる。機器が固定されることによって、機器の凹部のある面の周囲に緩衝空間を配置することが可能となり、緩衝材の使用を削減できる。緩衝材の使用を削減することは省資源化に繋がり、環境に配慮した包装装置を提供することができる。
【図面の簡単な説明】
【００１０】
【図１】実施の形態１における包装装置の斜視図である。
【図２】Ａは実施の形態１における機器の正面図、Ｂはその側面図である。
【図３】実施の形態１における包装装置の平面展開図である。
【図４】Ａは実施の形態１における折り曲げる前の舌片部３ｃ、３ｄの平面図、Ｂは折り曲げた後の舌片部３ｃ、３ｄの平面図である。
【図５】Ａは実施の形態１における折り曲げる前の舌片部３ａ、３ｂの平面図、Ｂは折り曲げた後の舌片部３ａ、３ｂの平面図である。
【図６】実施の形態１における包装装置の断面正面図である。
【図７】実施の形態１における包装装置の断面側面図である。
【図８】実施の形態２における包装装置の断面正面図である。
【図９】実施の形態３における包装装置の断面側面図である。
【図１０】Ａは実施の形態４における舌片部３ａ、３ｂの平面図、Ｂは舌片部３ｃ、３ｄの平面図である。
【図１１】実施の形態４における枠状体の側面図である。
【図１２】Ａは実施の形態５における舌片部３ａ、３ｂの平面図、Ｂは舌片部３ｃ、３ｄの平面図である。
【図１３】実施の形態５における枠状体の側面図である。
【図１４】実施の形態６における包装装置の平面展開図である。
【発明を実施するための形態】
【００１１】
以下、本発明の具体的実施例について、図面を参照しながら説明する。なお、以下の実
施態様は、本発明を具体化する際の一形態であって、本発明をその範囲内に限定するため
のものではない。
【００１２】
実施の形態１．
図１は実施の形態１における機器を内包した包装装置の斜視図である。以下の実施の形態では説明の便宜のため、包装装置について機器の凹部のある面と対向する面を前面、前面と対向する面を後面、前面からみて左側の側面を左側面、前面からみて右側の側面を右側面、箱体の上方の開口を塞ぐ面を上面、箱体の下方の開口を塞ぐ面を下面とする。
【００１３】
同様に、機器についても凹部のある面を前面とし、前面と対向する面を後面、前面からみて左側の側面を左側面、前面からみて右側の側面を右側面、包装装置の上面と対向する面を上面、包装装置の下面と対向する面を下面とする。
【００１４】
図１は機器１、包装装置２、包装装置２の前面に形成され、包装装置２の内側方向に折り曲げられる舌片部３ａ〜３ｄ、これら舌片部の端縁部を係合して形成される枠状体４、機器１の上面と包装装置２の上面との間の上面緩衝空間５、機器１の下面と包装装置２の下面との間の下面緩衝空間６、機器１の前面と包装装置２の前面との間の前面緩衝空間７、によって構成されている。
【００１５】
図１において機器１の輪郭は破線で示されている。実施の形態１における機器１の形状は特許文献１の図１に表される手乾燥装置の形状と同様であり、図２はその機器１の外形を示すものである。Ａは機器１の正面図、Ｂはその側面図を示している。機器１は前面１ａに凹部があり、凹陥部が両側面１ｂ、１ｃにまで達している。
【００１６】
舌片部３ａ〜３ｄは実施の形態１ではすべて包装装置内側方向に略直角に折り曲げられているが、舌片部毎に凹部形状に応じて折り曲げる角度を夫々独立に変えることが可能である。これによって多様な形状の凹部に対応することができるようにしたものである。
【００１７】
枠状体４は機器の凹部に嵌合し、機器１の上下方向の位置ずれを抑制する。これによって機器１の上面に上面緩衝空間５を、下面に下面緩衝空間６を設けることができる。また機器１の後面と包装装置の後面板を当接させるとともに、枠状体４の先端部を凹部の底部近傍に位置させることによって前後方向の位置ずれを抑制する。これによって凹部隔壁の前に前面緩衝空間７を設けることができる。
【００１８】
図３は実施の形態１における包装装置の平面展開図である。破線は折り曲げ線を表し、実線は切断線を表す。図３を用いて機器１を包装する手順を説明する。本包装は包装材で機器１の周囲を覆うようにして包装を行う、いわゆるラップラウンド包装である。
【００１９】
まず、包装前に第１の前面板２ｊ内の舌片部３ｃ、３ｄの外周の実線部分を切断し、外周の破線部分に沿って、谷折できるように折り曲げ線を形成しておく。同様に第２の前面板２ｆ内の舌片部３ａと３ｂの外周の実線部分を切断し、外周の破線部分に沿って、谷折できるように折り曲げ線を形成する。このとき、舌片部３ａ、３ｂの折り曲げ線と舌片部３ｃ、３ｄの折り曲げ線のなす角度は略直角である。舌片部以外の他の面板の折り曲げ線は既に形成されているものとする。
【００２０】
次に、機器１の後面１ｄを包装装置の後面板２ｈに接して配置させる。次に包装装置の左側面板２ｇを後面板２ｈと接する折り曲げ線に沿って谷折して、機器１の左側面１ｂに当接させる。同様に包装装置の右側面板２ｉを後面板２ｈと接する折り曲げ線に沿って谷折して、機器１の右側面１ｃに当接させる。尚、機器１を配置する前に、この状態まで包装装置２を折り込んでおいてから、機器１を配置して包装作業を開始することも可能である。
【００２１】
次に、包装装置の第１の前面板２ｊを右側面板２ｉと接する折り曲げ線に沿って谷折して、機器１の前面１ａを覆う。さらに舌片部３ｃ、３ｄの外周の折り曲げ線に沿って相反する方向に包装装置内側方向に折り曲げて、それらを凹部内壁に当接させる。次に包装装置の第２の前面板２ｆを右側面板２ｇと接する折り曲げ線に沿って谷折して、第１の前面板２ｊの上に重ねるようにして折り曲げて機器１の前面１ａを覆う。さらに舌片部３ａ、３ｂの外周の折り曲げ線に沿って相反する方向に包装装置内側方向に折り曲げる。このとき、先に折り曲げられた舌片部３ｃ、３ｄの表面に沿わせて、その端縁部近くまで折り曲げる。第２の前面板２ｆの舌片部３ａ、３ｂは、先に折り曲げられた舌片部３ｃ、３ｄの復元力によって折り曲げた状態に保持され、その摩擦によって係合状態に保持されて枠状体４を形成する。尚、さらに係合を強めるために、先に折り曲げる舌片部３ｃ、３ｄ表面の舌片部３ａ、３ｂと係合させる位置に接着剤を予め塗っておき、後に折り曲げる舌片部３ａ、３ｂの端縁部と接着させても良い。
【００２２】
次に、包装装置２の上面を構成する上面板２ａ〜２ｅを上面板２ｃ、２ｄ、２ｂ、２ｅ、２ａの順序で夫々の面の折り曲げ線に沿って谷折して、機器１の上面１ｅを覆う。次に、包装装置２の下面を構成する下面板２ｋ〜２ｏを下面板２ｍ、２ｎ、２ｌ、２ｏ、２ｋの順序で夫々の面の折り曲げ線に沿って谷折して、機器１の下面１ｆを覆う。
【００２３】
図４は第１の前面板２ｊによって機器１の凹部のある面を覆った後の、舌片部の折り曲げ作業を表した模式図である。Ａは包装装置内側に折り曲げる前の第１の前面板２ｊの舌片部３ｃ、３ｄの平面図である。Ｂは包装装置内側に折り曲げた後の舌片部３ｃ、３ｄの平面図である。ここでは装置内側方向は紙面奥側方向としている。Ａにおいて舌片部３ｃ、３ｄは外周の破線に表される折り曲げ線に沿って折り曲げられる。Ｂにおいて舌片部３ｃは矢印で示すように上側方向に、紙面奥側方向に折り曲げられている。３ｄは矢印で示す下側方向に、紙面奥側方向に折り曲げられている。すなわち、舌片部３ｃ、３ｄは夫々相反する方向に装置内側方向に折り曲げられる。
【００２４】
図５は第２の前面板２ｆによって機器１の凹部のある面を覆った後の、舌片部の折り曲げ作業を表した模式図である。Ａは包装装置内側に折り曲げる前の第２の前面板２ｆの舌片部３ａ、３ｂの平面図である。Ｂは包装装置内側に折り曲げた後の舌片部３ａ、３ｂの平面図である。図４同様に装置内側方向は紙面奥側方向としている。Ａにおいて舌片部３ａ、３ｂは外周の破線に表される折り曲げ線に沿って折り曲げられる。Ｂにおいて舌片部３ａは矢印で示すように左側方向に、紙面奥側方向に折り曲げられている。３ｂは矢印で示す右側方向に、紙面奥側方向に折り曲げられている。すなわち、舌片部３ａ、３ｂは夫々相反する方向に装置内側方向に折り曲げられる。従って、舌片部３ａ、３ｂの折り曲げる方向は、舌片部３ｃ、３ｄの折り曲げる方向と直交する方向となる。
【００２５】
枠状体４の形成において、舌片部３ａはその端縁部３ｋ、３ｌを図４における舌片部３ｃの表面３ｉ、及び、舌片部３ｄの表面３ｊに沿わせて舌片部３ｃの端縁部３ｅ、舌片部３ｄの端縁部３ｇ付近まで折り曲げる。同様に舌片部３ｂはその端縁部３ｍ、３ｎを図４における舌片部３ｃの表面３ｉ、及び、舌片部３ｄの表面３ｊに沿わせて舌片部３ｃの端縁部３ｆ、舌片部３ｄの端縁部３ｈ付近まで折り曲げる。
【００２６】
また、舌片部３ａ、３ｂの折り曲げ線と平行方向の幅Ｌ’は舌片部３ｃ、３ｄを装置内側方向に折り曲げた時の、舌片部３ｃと舌片部３ｄ間の間隔寸法（図４におけるＬ）と同一または幅広にされていることが必要である。同一または幅広にされていることで、先に折り曲げる舌片部３ｃ、３ｄの間に後から折り曲げる舌片部３ａ、３ｂが隙間なく当接し、係合の強度を強めることで機器１の運搬時に枠状体４が崩れることを防止することができる。
【００２７】
図６は実施の形態１における包装装置２の断面正面図である。実施の形態１における機器の形状では凹陥部は両側面１ｂ、１ｃに達しているので、凹部と枠状体４を嵌合させても側面方向の位置ずれを抑制できない。このため、機器１の左側面１ｂと包装装置２の左側面板２ｇは当接させ、同様に、機器１の右側面１ｃと包装装置２の右側面板２ｉは当接させる。これによって機器１の側面方向の位置ずれを抑制することができる。以下に示す実施の形態の図面では上面板と下面板は簡略化して１枚で表す。図２の平面展開図では上面と下面は夫々５枚の面板によって構成されているが、これは枠状体４が機器１の運搬中に何らかの衝撃によって崩れた際に、製品を箱内に保持できるようにしているものである。尚、面板の数は５枚でなくとも機器の荷重に応じた枚数で構成されていればよい。
【００２８】
図７は実施の形態１における包装装置２の図６のＡ−Ａ’の断面側面図である。機器１の凹部と枠状体４が嵌合すること、及び、機器１の後面１ｄが包装装置２の後面板２ｈと接することによって機器１の前後方向の位置ずれを抑制している。これによって機器１の前面１ａと包装装置の前面板２ｊとの間に前面緩衝空間７を設けることができる。
【００２９】
以上のような構成によって舌片部３ａ〜３ｄによって構成される枠状体４と機器１の凹部と嵌合させること、及び、機器１と包装装置２の夫々後面、左側面、右側面を当接させることによって機器１を包装装置２内に固定し、機器１の前面、上面、下面に緩衝空間を設けて、機器１の凹部のある表面を保護することができる。
【００３０】
実施の形態２．
図８は実施の形態２における包装装置２の断面正面図である。実施の形態２における機器１の形態は前述の実施の形態１と同様に、機器１の前面１ａに凹部があるが、凹陥部が両側面１ｂ、１ｃにまで達していない。
【００３１】
図８において機器１の左側面１ｂと包装装置２の左側面板２ｇとの間に左側面緩衝空間８を設けている。同様に、機器１の右側面１ｃと包装装置２の右側面板２ｉとの間に右側面緩衝空間９を設けている。実施の形態２の場合は、枠状体４の側面側の舌片部３ａ、３ｂが機器１の凹部内壁と当接することによって側面方向の位置ずれを抑制している。このため包装装置２の左側面板２ｇと右側面板２ｉは機器１と当接させる必要はなく、機器１の両側面に緩衝空間を設けることが可能となる。また、凹部内壁と枠状体４の上下側の舌片部３ｃ、３ｄが当接して上下方向の位置ずれも抑制できていることから、上面緩衝空間５、下面緩衝空間６を設けることができ、さらに図示していないが実施の形態１と同様に前面緩衝空間７を設けることができる。
【００３２】
実施の形態３．
図９は実施の形態３における包装装置２の断面側面図である。実施の形態３における機器１の形態は前述の実施の形態１と同様に、機器の前面１ａに凹部があり、凹陥部が両側面１ｂ、１ｃまで達している。但し、凹部の底部にさらに凸部を有している。
【００３３】
図示するように舌片部３ｂは凹部形状と嵌合する形状としている。図示されていないが舌片部３ｂと対をなす舌片部３ａもこれと同じ形状としている。舌片部３ｃ、３ｄは矩形のままでよい。舌片部の形状を凹部形状と合わせることによって、前記凹部に枠状体４が精度よく嵌合し、上下方向の位置ずれを効果的に抑制できる。本実施の形態以外に凹部の形状に適合するよう舌片部の形状を適宜選択することができる。
【００３４】
実施の形態４．
図１０においてＡは実施の形態４における舌片部３ａ、３ｂの平面図、Ｂは舌片部３ｃ、３ｄの平面図である。第２の前面板２ｆの舌片部３ａ、３ｂには切断線近傍の端縁部に切り欠け部１０ａ〜１０ｄを設け、同様に第１の前面板２ｊの舌片部３ｃ、３ｄには切断線近傍の端縁部であって、枠状体４を形成したときに前記切り欠け部と嵌合する位置に延出部１１ａ〜１１ｄを設けている。枠状体形成時には、この１０ａと１１ａ、１０ｂと１１ｂ、１０ｃと１１ｃ、１０ｄと１１ｄの切り欠け部と延出部を夫々嵌合させる。
【００３５】
図１１に実施の形態４における舌片部の係合を示す枠状体４の側面図を示す。図示するように舌片部３ｃ側から見た側面図であって、舌片部３ａの切り欠け部１０ａと舌片部３ｃの延出部１１ａが嵌合している。また舌片部３ｂの切り欠け部１０ｂと舌片部３ｃの延出部１１ｂが嵌合している。これらの嵌合によって舌片部同士の係合を強固にして、機器１の収納後に運搬時の振動等によって枠状体４が崩れることを防止するものである。
【００３６】
実施の形態５．
図１２においてＡは実施の形態５における舌片部３ａ、３ｂの平面図、Ｂは舌片部３ｃ、３ｄの平面図である。第２の前面板２ｆの舌片部３ａ、３ｂには切断線近傍の端縁部に貫通穴１２ａ〜１２ｄを設け、同様に第１の前面板２ｊの舌片部３ｃ、３ｄには切断線近傍の端縁部であって、枠状体４を形成したときに前記貫通穴と嵌合する位置に延出部１１ａ〜１１ｄを設けている。枠状体形成時には、この１１ａと１２ａ、１１ｂと１２ｂ、１１ｃと１２ｃ、１１ｄと１２ｄの延出部と貫通穴を夫々嵌合させる。
【００３７】
図１３に実施の形態５における舌片部の係合を示す枠状体４の側面図を示す。図示するように舌片部３ｃ側から見た側面図であって、舌片部３ａの貫通穴１２ａと舌片部３ｃの延出部１１ａが嵌合している。また舌片部３ｂの貫通穴１２ｂと舌片部３ｃの延出部１１ｂが嵌合している。これらの嵌合によって舌片部同士の係合の強度を上げて、機器１の収納後に運搬時の振動等によって枠状体４が崩れることを防止するものである。
【００３８】
実施の形態６．
実施の形態１において機器１を包装した場合、包装装置２には舌片部３ａ〜３ｄに対応する位置に孔が生じる。凹陥部は内控えた位置にあるので凹部隔壁に比べて運搬時等に外部からの衝撃を受けにくい部分であるが、さらに機器１の凹陥部の保護を高めるために孔を塞ぐことも可能である。
【００３９】
図１４は実施の形態６における包装装置２の平面展開図である。実施の形態１の図２の平面展開図に第３の前面板２ｐを下面板２ｍと折り曲げ線を介して連接させている。第３の前面板２ｐの面積は孔を塞ぐことができる面積以上であれば良く、また孔の位置に対向するように下面板２ｍ以外の面板に連接ことも可能である。実施の形態１に記載の包装手順にて機器１を包装した後、第３の前面板２ｐを包装装置の下面を構成する下面板２ｍと接する折り曲げ線に沿って谷折して、包装装置の第２の前面板２ｆ上に重ねる。これによって第２の前面板２ｆ上の舌片部３ａ、３ｂの折り曲げによってできる包装装置２の孔を塞ぎ、機器１の凹陥部を保護することができる。
【符号の説明】
【００４０】
１              機器
１ａ            機器の前面
１ｂ            機器の左側面
１ｃ            機器の右側面
１ｄ            機器の後面
１ｅ            機器の上面
１ｆ            機器の下面
２              包装装置
２ａ〜２ｅ      包装装置上面を構成する上面板
２ｆ            包装装置の第２の前面板
２ｇ            包装装置の左側面板
２ｈ            包装装置の後面板
２ｉ            包装装置の右側面板
２ｊ            包装装置の第１の前面板
２ｋ〜２ｏ      包装装置下面を構成する下面板
２ｐ            包装装置の第３の前面板
３ａ〜３ｄ      舌片部
３ｅ〜３ｈ      第１の一対の舌片部の端縁部
３ｉ〜３ｊ      第１の一対の舌片部の表面
３ｋ〜３ｎ      第２の一対の舌片部の端縁部
４              枠状体
５              上面緩衝空間
６              下面緩衝空間
７              前面緩衝空間
８              左側面緩衝空間
９              右側面緩衝空間
１０ａ〜１０ｄ  切り欠け部
１１ａ〜１１ｄ  延出部
１２ａ〜１２ｄ  貫通穴
【図１】
2011057261.tif 000003
【図２】
2011057261.tif 000004
【図３】
2011057261.tif 000005
【図４】
2011057261.tif 000006
【図５】
2011057261.tif 000007
【図６】
2011057261.tif 000008
【図７】
2011057261.tif 000009
【図８】
2011057261.tif 000010
【図９】
2011057261.tif 000011
【図１０】
2011057261.tif 000012
【図１１】
2011057261.tif 000013
【図１２】
2011057261.tif 000014
【図１３】
2011057261.tif 000015
【図１４】
2011057261.tif 000016